(57)【要約】      （修正有）【課題】優れた鍼であるが、全盲の鍼師には全く使えないし、健常者でも使い勝手が悪い形状であったミクロの皮内鍼を改善する。【解決手段】鋼線を加工した数個の原型皮内鍼の鍼柄部１を、先端に突起を設ける数区画の鍼柄部１を収める台紙８で挟み、数個が接続溝７で連結した容器に納めた、水平刺入用の連結した皮内鍼と垂直刺入用の連結した皮内鍼を作り、各皮内鍼共に接続溝７を解除すれば１個の皮内鍼または数個連結した連結皮内鍼として成る。ミクロな治療具を扱う容器の構成並びに該容器にミクロの鍼の頭を納め使いやすい皮内鍼にする。【選択図】図１
2012024538.tif 000002
【特許請求の範囲】
【請求項１】
頭を円形にした鍼柄（１）鍼柄（１）から伸びた鍼体（２）鍼体（２）の先に鍼先（３）を水平に鋼線を加工したミクロの原型皮内鍼（４）の鍼柄（１）を連続固定する台紙を数個に区画し区画内に長方形の切り込み（５）と（４）をセットする装着部（６）並びに接続溝（７）を設けた数個の容器になる鍼台紙（８）を作り、原型皮内鍼（４）を区画に見合う数用意し、数個の区画在る鍼台紙（８）の装着部（６）に原型皮内鍼（４）を置いて鍼台紙（８）の切り込み（５）の中心を折り込み貼り合わせ鍼台紙（８）の長い片の両端を合わせて成る連結水平皮内鍼（９）を作る。該連結水平皮内鍼（９）を使用する時は接続溝（７）を介し随時に切り放し１個の皮内鍼は１本刺入、数個接続した連結皮内鍼は数個同時に刺入する施術として幅を広げた治療に使用する事ができる等著しい特徴が在るミクロな皮内鍼の改善作用とミクロな容器と容器に入れた皮内鍼の製造方法。
【請求項２】
頭を円形にした鍼柄（１０）鍼柄（１０）から伸びた鍼体（１１）鍼体（１１）の先に鍼先（１２）を垂直に鋼線を加工したミクロの原型皮内鍼（１３）の鍼柄（１０）を連続固定する台紙を数個に区画し区画内に長方形の切り込み（５）（１４）と（１３）をセットする装着部（１５）並びに接続溝（７）（１６）を設けた数個の鍼台紙（１７）を作り、原型皮内鍼（１３）を区画に見合う数用意し、数個の区画在る鍼台紙（１７）の孔付き装着部（１５）の孔に鍼体と鍼先を入れるように原型皮内鍼（１３）を置いて鍼台紙（１７）の切り込み（５）（１４）の中心を折り込み貼り合わせ鍼台紙（１７）の長い片の両端を合わせて成る連結垂直皮内鍼（１８）を作る。該連結垂直皮内鍼（１８）を使用する時は接続溝（７）（１６）を介し随時に切り放して１個の皮内鍼は１本刺入、数個接続した連結皮内鍼は数個同時に刺入する施術として幅を広げた治療に使用する事ができる等著しい特徴が在るミクロな皮内鍼の改善作用とミクロな容器と容器に入れた皮内鍼の製造方法。
【発明の詳細な説明】
【技術分野】
【０００１】  本発明は、鍼治療時に使用する皮内鍼に関するものであり、扱いが難しいミクロの治療具の内から皮内鍼における構成を合理的に改善し、全盲のはり師にも容易に扱えるように、鍼の構成に微細な用具の課題をカバーするミリ単位のしっかりした容器を衣のようにまとって不便な治療具を生かすように構成した皮内鍼の構造並びに製造に関する。
【背景技術】
【０００２】  従来、治療家達が使う皮内鍼による正しい治療法には優れた効果がありながら、一般にされている平均的皮内鍼のミクロなサイズは線径０．１４ｍｍ鍼長５ｍｍリング鍼柄頚３ｍｍで平軸柄は４ｍｍ×２ｍｍ前後のサイズの鍼が多い。円皮鍼は鍼径０．２４リング径２．８鍼長１．５で各サイズに大きな違いは無く主にステンレス鋼線を加工した物が多く施術者としての使い勝手は繊細な作業を伴う為に敬遠されことがしばしばあった。鍼が微細である為紛失が多い。故に地味な作業でもある皮内鍼治療があまり行なわれず皮内鍼治療が消極的になり優れた療法が積極的に行なわれていない現実がある。特記すべきは「従来の皮内鍼は全盲や目が不自由な鍼師には扱えない」形状であったし、従来は皮膚に金属の鍼柄が直接皮膚上に接したまま放置して金属アレルギー等の症状を招く場合があるなど、治療上良くない問題が起きる場合が在った。心得の在る施術者は柄が当たる部位の皮膚上にテープ貼着していた。        皮内鍼は鍼体をできるだけ水平に皮膚内へ刺入して皮膚に留めるべきであるが、繊細すぎてうっかり鍼先が筋膜に刺入されて治療効果が失われる場合があった。
鍼師が健常者であってもミクロな鍼を扱う作業は容易でない作業であり手間がかかる細やかでデリケートな作業であった、従来に連結した皮内鍼は無くツボに皮内鍼を並べて施術する作業は行なわれていたが繊細な作業が敬遠される為に、折角治療効果が認められながら連結刺入施術は適した皮内鍼の出現が無かったので積極的におこなわれていない問題が在った。
【発明の開示】
【発明が解決しようとする課題】
【０００３】  従来の問題を解決する為にミクロな皮内鍼の鍼体は金属でも良いが鍼柄の表面は肌にやさしい素材で包み持し易く全盲者や目が不自由な者でも扱い易いミクロな形状の容器に入れた鍼柄は皮膚に接しても安全性が高い素材の容器で持ち易くしたのが良く鍼体においては皮膚に対し水平に近い刺入ができる形状と直下に刺入する形状が良い。治療点のツボに皮内鍼を並べて皮内に刺入する場合にも刺入する鍼数を選んで咄嗟に同時刺入が扱える連結皮内鍼による治療に応えられるミクロな容器に納めて改善した皮内鍼を提供する事。
【課題を解決する為の手段】
【０００４】  頭を円形にした鍼柄、鍼柄から伸びた鍼体、鍼体の先に鍼先を水平に鋼線を加工した原型皮内鍼の鍼柄を連続固定する台紙を数個に区画し区画内に長方形の切り込みと原型皮内鍼をセットする装着部並びに接続溝を設けた数個の鍼台紙を作り、原型皮内鍼を区画に見合う数用意し、数個の区画在る鍼台紙の装着部に原型皮内鍼を置いて鍼台紙の切り込みの中心を折り込み貼り合わせ、鍼台紙の長い片の両端を合わせて成る連結水平皮内鍼を作り該連結水平皮内鍼を使用する時は接続溝を介し随時に切り放して１個の皮内鍼は１本刺入数個接続した連結皮内鍼においては数個同時に刺入する施術に使用する事が可能になる等の著しい特徴が在る皮内鍼の作用と容器となる鍼台紙の構造並びに該皮内鍼の製造方法を提供する。
【０００５】  頭を円形にした鍼柄、鍼柄から伸びた鍼体、鍼体の先に鍼先を垂直に鋼線を加工した原型皮内鍼の鍼柄を連続固定する台紙を数個に区画し区画内に長方形の切り込みと原型皮内鍼をセットする装着部並びに接続溝を設けた数個の鍼台紙と、原型皮内鍼を区画に見合う数用意し、数個の区画在る鍼台紙の孔付き装着部に鍼体と鍼先を孔に入れるように原型皮内鍼を置いて鍼台紙の切り込みの中心を折り込み貼り合わせ、鍼台紙の長い片の両端を合わせて成る連結垂直皮内鍼を作り該連結垂直皮内鍼を使用する時は接続溝を介し随時に切り放して１個の皮内鍼は１本刺入数個接続した皮内鍼においては数個同時に刺入する施術に使用する事が可能になる等の著しい特徴が在る皮内鍼の作用と容器となる鍼台紙の構造並びに該皮内鍼の製造方法の提供。
【０００６】  請求項１における鍼台紙は蓋側と器側にした台紙を二つ折りしたのであるが、器側だけの台紙に原型皮内鍼を装置する装着部（６）を定めた台紙に原型皮内鍼をテープ貼着等の方法で固定した連結水平皮内鍼にするのも良いし、請求項２における鍼台紙は蓋側にある原型皮内鍼を孔が空いている細い装着部（１５）に鍼先から台紙を突き通し台紙に原型皮内鍼のリング頭をテープ貼着等の方法で固定した連結垂直皮内鍼にするのも良い。
請求項１．２の台紙を折り曲げる線で蓋と器に切り放した台紙をそれぞれ作り、器に原型皮内鍼をセットしてから蓋を閉じる方法も良い。
請求項１．２に在る長方形の台紙に切り込み（５）を削除して折り曲げた台紙の側面又は際に蝕指が容易な凹凸を設けるのも良いし、蝕指感覚にこだわらずに凹凸を設けないのも有ってよい。
【０００７】  請求項１の連結水平皮内鍼は施術において皮膚内に水平に刺入し刺入状態を続ける置き鍼においても鍼は水平に在るべきであるなど角度を付けて刺入する技術を助ける為、予め鍼柄の際から下がり直ぐに戻す緩い１段差を付け水平にした鍼体から鍼先がある緩い鉤型鍼体を設けるのも良い。緩い角度がよいが、多少鋭角になっても鍼体の強度に問題が無い程度の角度にするのが良い。但し術者の技で鍼体をレート鍼体にして使用するのも良いし、ストレート鍼体を段差身体にして用いるのも良いし鍼体の形状は術者の手技に任せるも良い。
【０００８】  鍼柄を覆う容器になる長方形の台紙に原型皮内鍼を置いて台紙の四隅を合わせて折り曲げる時の為に予め台紙の中央内面切れ込みが在る部分に折れ目を付けてあるのも良い。装着部について孔や凹凸やガイドを設けるのも良い。
【０００９】  請求項１．２にある連結皮内鍼の連結部の溝について容易に切り放しができるだけで無く同じタイプの容器であれば溝で繋いだり放したりする着脱装置からなる溝にし、着脱装置の溝を設けたプラスチック加工した容器に鍼柄を納め連結して成る連結皮内鍼を作るのも良い。
【００１０】  皮内鍼について採用する鍼頭を覆う容器は紙の台紙に固執せず安全な素材を加工したりプラスチック加工した容器に替えた物でも良いし、鍼の鍼柄になる個所を金型で起こし金型により鍼の頭部分を埋め込むプラスチックインジェクション加工で本発明の鍼柄同様の形状機能を有する物を作るも良い。
【００１１】  鍼柄、鍼体、鍼先のミクロサイズについては容器もミクロサイズにするがサイズにつては固執せず作用を主眼に応用の範囲を広げ、磁力等を用いた治療具を納める容器として適した形状の物も生産すると良い。
【００１２】  開閉装置が在る平らなプラスチック製の、原型皮内鍼や粒状物マグレインなどの収容する物の形に合わせた容器の器と蓋の内側に留める凹凸と容器に収容する物の１部分、鍼や粒状治療具の部分を容器外に出した口、容器の平面又は側面に外から閉じた容器の形状が指触し易い突起、容器の左右側に区画した容器が整然と連結する繋ぎ溝が在り、必要に応じ該溝を切断できる装置などがある連結開閉容器を作り、該連結開閉容器内に収容した物の機能が失われるまで扱い易い状態を保ちリピート使用ができ従来に粘着テープを専ら使用している内容物について粘着テープや粘体が付着する懸念が無くなるなど、原型皮内鍼や治療に使われるミクロの粒状物マグレインや粒径が５ｍｍ以上ある物などを収容できる容器にし、収納する物の機能や価値を高め再利用できる連結開閉容器に納めた治療用具、連結と解除する特徴を備えた用具を提供すると良いし、該容器の開閉装置を削除し、器と蓋に分離し前記（０００６）に記した如く装着部を設けた要領で器容器と蓋容器とし各適した形状の装着部を作り上記ミクロの粒状物マグレインや粒径が５ｍｍ以上ある物などを収容できる容器にしテープで止めてなる方法などで治療具を作るのも良い。
【発明の効果】
【００１３】  発明のミクロの皮内鍼は術者が接触する指先にて鍼柄の形状が触れ易いから微細な鍼の状態を的確に把握できて保持が容易にできる。
刺入時に鍼柄の下に金属アレルギー等の問題を起こさない為に敷いていた枕テープを使う必要から開放される。
鍼柄が皮膚に優しい素材であるから刺入状態を長時間保て治療効果の幅が広がる。
抜鍼時において鍼柄の頭が指先で触れるから抜鍼方向を間違わないなどの著しい従来に無かった扱い易さである
【００１４】  鍼体を鍼柄から垂直下方に向けた該皮内鍼を使用するには皮膚上から垂直下方に刺入するが、鍼柄の保持が容易で判り易く刺入や抜鍼も容易であるから皮内に浅く施鍼する事により治療方法や手段の幅を広げる事になるなどの作用がある。
【００１５】  本発明は繊細でミクロな扱い難い皮内鍼を次々に繋ぎ止める事ができる特徴がある、皮内鍼で行なう治療の方針が１個の鍼の施術は無論、数個の鍼を同時にツボに対して刺入できる構造にしたので、著しく治療への応用範囲を広がる。手早く正確な皮膚内への刺入は皮内鍼を用いた治療に限りない可能性を膨らませる。
【発明を実施するための最良の形態】
【００１６】  鍼治療具としての皮内鍼を用いた施術には優れた治療実績があるから、扱い易い皮内鍼を用いた施鍼では従来の数倍積極的に行なわれ皮内鍼による治療効果が浸透するものと思料する。多くの人達の健康生活に役立ち裨益する本発明の形態を概略次ぎの実施例で図示する。
【実施例１】
【００１７】図１に示すのは左から順に連結水平皮内鍼に至る拡大した行程略図であり、容器に成る台紙の装着部（６）に原型皮内鍼（４）をセットしてたたみ掛ける状態、鍼柄（２）部を容器に入れ鍼体（２）を容器側面から外に出した連結水平皮内（９）の拡大平面略図である。
【実施例２】
【００１８】図２に示すのは左から順に連結垂直皮内鍼に至る拡大した行程略図であり、容器に成る台紙に鍼を通す孔が在る装着部（１５）にリング状の原型皮内鍼（１３）の鍼体と鍼先を孔に入れリング状の柄をセットしてたたみ掛ける状態、鍼柄を容器に入れ鍼体から鍼先を容器底面下方に出した連結水直皮内鍼（１８）の拡大平面略図である。
【実施例３】
【００１９】図３に示すのは水平刺入用の従来皮内鍼と本発明皮内鍼を肌に刺入した例を示し比較する略断面斜視図であり、本発明は鍼柄が扱い易く、鍼柄の下に肌を保護するテープを貼らなくても良い合理的な形態である。
【産業上の利用可能性】
【００２０】鍼治療は日本や中国以外の全世界で普及している東洋医学的治療として根強い実力を備えた人気がある。発明者自身が鍼灸師として永年鍼灸治療活動を続けて今日に至っている立場から熟慮の上永らく抱えていた皮内鍼の問題点を解決する為に申請に及んだ。産業上の利用可能性がどの程度あるかについて明確な数値は測りかねるが、従来の皮内鍼が抱える問題点を解決すれば必ず本発明を採用される施術者が大多数になり裾野は無限に広がる可能性が在る。東洋医学的需要と共に皮内鍼治療が衰えるとは考え難い。コストを下げて良品を安価に提供すれば確実に利用者が多くなると思料する。
【図面の簡単な説明】
【００２１】
【図１】連結水平皮内鍼とその容器を示す行程の略視図
【図２】連結垂直皮内鍼とその容器を示す行程の略視図
【図３】従来水平皮内鍼と本発明水平皮内鍼を肌に刺入した比較参考図
【符号の説明】
【００２２】１  鍼柄
２  鍼体
３  鍼先
４  原型皮内鍼
５  切り込み
６  装着部
７  接続溝
８  鍼台紙
９  連結水平皮内鍼
１０  鍼柄
１１  鍼体
１２  鍼先
１３  原型皮内鍼
１４  切り込み
１５  装着部
１６  接続溝
１７  鍼台紙
１８  連結垂直皮内鍼
【図１】
2012024538.tif 000003
【図２】
2012024538.tif 000004
【図３】
2012024538.tif 000005